(57)【要約】【課題】立体シール構造の提供。【解決手段】シール本体とケースを含む。該シール本体はテープ状の軟性フィルム、該軟性フィルムに粘着する連続状の立体シールを設置する。こうして該立体シールの面積は該軟性フィルムより小さくなる。該ケースは隆起状の収容設置部を設置し、該収容設置部の相対する側には、カットにより開口を設置する。これにより立体シールを粘着した軟性フィルムをロール状に巻いた後、該ケースの収容設置部に入れ、使用時には該開口より順番に引き出し、該立体シールを該軟性フィルムから剥離することができ、立体シールの取り出しはより便利で迅速となる。【選択図】図４
0003140530.tif 000002
【実用新案登録請求の範囲】
【請求項１】
シール本体とケースを含み、
該シール本体はテープ状の軟性フィルム、該軟性フィルムに粘着する連続状の立体シールを設置し、こうして該立体シールの面積は該軟性フィルムより小さくなり、
該ケースは該シール本体を収容設置し、
前記構成部品の組合せにより、該シール本体は円管に巻き付けロール状を構成後、該ケースに入れ少しだけ引き出し、これにより使用時には該ケースより該シール本体を順番に引き出し、その内の該立体シールを該軟性フィルムから剥離し、様々な物品或いは紙に接着し、こうして該立体シールの取り出しはより便利で、迅速となることを特徴とする立体シール構造。
【請求項２】
前記シール本体は円管に巻き付けロール状を構成後、該ケースに入れることを特徴とする請求項１記載の立体シール構造。
【請求項３】
前記ケースは相互に連接する上、下蓋体により構成し、該上蓋体には隆起状の収容設置部を設置し、ロール状としたシール本体を該収容設置部において挟持することを特徴とする請求項１記載の立体シール構造。
【請求項４】
前記ケースの下蓋体の前縁には、カット後に形成する開口を設置し、該シール本体は該開口より引き出されることを特徴とする請求項１記載の立体シール構造。
【考案の詳細な説明】
【技術分野】
【０００１】
本考案は立体シール構造に関する。特に収納が容易で、取り出しが便利な立体シール構造に係る。
【背景技術】
【０００２】
一般的な立体シールの製造方式は、図１に示すように、シート１１上に同等の大きさのシール本体１２を接着後、適当に裁断し、テープ状の立体シール１３を構成する。使用時には、該立体シール１３を該シート１１から剥離し、所定の物品或いは紙に接着する。
該公知の立体シール１３構造は一定の限定された長さを呈するため、ある程度の長さを使用したい時には、多数の部分を相互に連接する必要があるため、模様や柄が連続せず、美しくなく、しかも不便である。
【０００３】
次に図２に示す、別種の公知の立体シール構造では、相同形状のシート２１と立体シール２２を接着し、該シート２１と該立体シール２２を筒状に巻いた後、ケース２３中に入れる。使用時には、該シート２１と該立体シール２２を該ケース２３から引き出し、さらに該立体シール２２を該シート２１から剥離し、所定の物品或いは紙に接着する。
該種の立体シールは該シート２１と該立体シール２２を相同の形状に形成するため、剥離時に非常に不便で、不注意で該立体シール２２を破いてしまい易く、理想的ではない。
【０００４】
出願人は上記欠点に鑑み、当業界における多年にわたる従事経験を以って、絶えず研究、実験を重ね、本考案の開発に成功した。これにより立体シールの使用と収納をより便利にすることができる。
【考案の開示】
【考案が解決しようとする課題】
【０００５】
本考案が解決しようとする課題は収納が容易で、剥離と使用が便利で、立体シールの実用の価値を向上させることができる立体シール構造を提供することである。
【０００６】
上記課題を解決するため、本考案は下記の立体シール構造を提供する。
シール本体とケースを含み、
該シール本体はテープ状の軟性フィルム、該軟性フィルムに粘着する連続状の立体シールを設置し、こうして該立体シールの面積は該軟性フィルムより小さくなり、
該ケースは隆起状の収容設置部を設置し、該収容設置部の相対する側にはカットにより開口を設置し、これにより立体シールを粘着した軟性フィルムをロール状に巻いた後、該ケースの収容設置部に入れ、
使用時には該開口より順番に引き出し、該立体シールを該軟性フィルムから剥離することができ、立体シールの取り出しはより便利で迅速となり、
該立体シールを粘着した軟性フィルムを円管に巻き付け、ロール状を構成することで、該ケースの収容設置部に入れることができ、
該ケースは相互に連接する上、下蓋体により構成し、該上蓋体には収容設置部を設置し、該下蓋体前縁はカット後に形成する開口を設置し、ロール状に巻きつけたシール本体は該上、下蓋体において挟持する。
【課題を解決するための手段】
【０００７】
請求項１の考案は、シール本体とケースを含み、
該シール本体はテープ状の軟性フィルム、該軟性フィルムに粘着する連続状の立体シールを設置し、こうして該立体シールの面積は該軟性フィルムより小さくなり、
該ケースは該シール本体を収容設置し、
前記構成部品の組合せにより、該シール本体は円管に巻き付けロール状を構成後、該ケースに入れ少しだけ引き出し、これにより使用時には該ケースより該シール本体を順番に引き出し、その内の該立体シールを該軟性フィルムから剥離し、様々な物品或いは紙に接着し、こうして該立体シールの取り出しはより便利で、迅速となることを特徴とする立体シール構造としている。
請求項２の考案は、前記シール本体は円管に巻き付けロール状を構成後、該ケースに入れることを特徴とする請求項１記載の立体シール構造としている。
請求項３の考案は、前記ケースは相互に連接する上、下蓋体により構成し、該上蓋体には隆起状の収容設置部を設置し、ロール状としたシール本体を該収容設置部において挟持することを特徴とする請求項１記載の立体シール構造としている。
請求項４の考案は、前記ケースの下蓋体の前縁には、カット後に形成する開口を設置し、該シール本体は該開口より引き出されることを特徴とする請求項１記載の立体シール構造としている。
【考案の効果】
【０００８】
上記のように、本考案はロール状のシール本体に該シール本体を収容可能なケースを対応させ、立体シールを構成することで、立体シールは収納が容易となり、剥離の利便性を高めることができる。
【考案を実施するための最良の形態】
【０００９】
図３、図４に示すように、本考案は主にシール本体３とケース４を含む。
該シール本体３はテープ状の軟性フィルム３１(本実施例では、該軟性フィルム３１は透明状である)、該軟性フィルム３１に粘着する連続状の立体シール３２を設置する。こうして該立体シール３２の面積は該軟性フィルム３１より小さくなる。
【００１０】
該ケース４は相互に連接する上蓋体４１と下蓋体４２により構成する。該上蓋体４１後縁には隆起状の収容設置部４３を設置し、該収容設置部４３の相対する側の下蓋体４２の前縁には、U型にカット後に形成する開口４４を設置する。
【００１１】
前記構成部品の組合せにより、該立体シール３２が粘着する軟性フィルム３１が構成するシール本体３は円管５に巻き付けロール状を構成後、該ケース４の収容設置部４３に入れ、該上、下蓋体４１、４２において挟持し、少しだけ引き出す。使用時には、該下蓋体４２の開口４４から該シール本体３を順番に引き出し、その内の該立体シール３２を該軟性フィルム３１から剥離し、様々な物品或いは紙に接着する。こうして該立体シール３２の取り出しはより便利で、迅速となる。
【００１２】
図５に示すように、本考案の組合せ時には、該シール本体３を先ず該円管５に巻き付けロール状を構成後、それを該ケース４の収容設置部４３に入れ、該シール本体３を少しだけ引き出しながら該上、下蓋体４１、４２において挟持する。これにより該シール本体３の先端は該下蓋体４２の開口４４から伸び出し、収納と携帯に便利となり、しかも使用時には該下蓋体４２の開口４４より該シール本体３を順番に引き出すことができる。
【００１３】
図６に示すように、該シール本体３は該下蓋体４２の開口４４より、ある程度の長さを順番に引き出し後、その内の立体シール３２は該軟性フィルム３１から剥離し、様々な物品或いは紙に接着することができる。該立体シール３２の面積は該軟性フィルム３１の面積より小さいため、該軟性フィルム３１から簡単に剥離することができ、また該立体シール３２はロール状を呈するため、連続状を呈し、接着後の立体シール３２はより美しい。
【００１４】
本考案はロール状のシール本体３に該シール本体３を収容可能なケース４を対応させ、立体シール３２を構成する。これにより立体シール３２は収納が容易となり、剥離の利便性を高めることができる。
【図面の簡単な説明】
【００１５】
【図１】公知の立体シールの立体図である。
【図２】公知の別種の立体シールの立体図である。
【図３】本考案のシール本体の立体図である。
【図４】本考案の立体分解図である。
【図５】本考案の使用実施例図である。
【図６】本考案立体シール剥離の実施例図である。
【符号の説明】
【００１６】
１１  シート
１２  シール本体
１３  立体シール
２１  シート
２２  立体シール
２３  ケース
３  シール本体
３１  軟性フィルム
３２  立体シール
４  ケース
４１  上蓋体
４２  下蓋体
４３  収容設置部
４４  開口
５  円管
【図１】
0003140530.tif 000003
【図２】
0003140530.tif 000004
【図３】
0003140530.tif 000005
【図４】
0003140530.tif 000006
【図５】
0003140530.tif 000007
【図６】
0003140530.tif 000008